(57)【要約】      （修正有）【課題】吸引具全体が不用意に動くことがなく、使い勝手のよい手術用吸引具を提供する。【解決手段】吸引管４と吸引ホースとの接続口金を持ち手１内の吸引通路を介して持ち手の前後に連通して配すると共に、持ち手に吸引通路に連通して開口する吸引調節孔３を設けた吸引管において、持ち手を幅方向に弧状に窪ませた上面Ｐ１と同じく幅方向に弧状に窪ませた左右の側面Ｐ２等からなる三面形状とすると共に、各面がなす稜線を切り落とす。持ち手が三面からなる逆三角形になっているので、それを３本の指腹を使用して持つことができ、持ち手が軸方向にみだりに回転することを防止できる。また、２本の指腹で挟んで持つ場合と異なり吸引具が軸線と直交する方向に振れるおそれも防止できる。【選択図】図２
0003168467.tif 000002
【実用新案登録請求の範囲】
【請求項１】
吸引管と吸引ホースとの接続口金を持ち手内の吸引通路を介して持ち手の前後に連通して配すると共に、持ち手に吸引通路に連通して開口する吸引調節孔を設けた吸引管において、持ち手を幅方向に弧状に窪ませた上面と同じく幅方向に弧状に窪ませた左右の側面からなる三面形状とすると共に、各面がなす稜線を切り落としたことを特徴とする手術用吸引具。
【請求項２】
吸引管と吸引ホースとの接続口金を持ち手内の吸引通路を介して持ち手の前後に連通して配すると共に、持ち手に吸引通路に連通して開口する吸引調節孔を設けた吸引管において、持ち手を幅方向に弧状に窪ませた上面と同じく幅方向に弧状に窪ませた左右の側面からなる三面形状とすると共に、各面がなす稜線を切り落とし、吸引調節孔を菱形状とする共に、その対角線が持ち手の前後方向および左右方向に揃うように持ち手の上面に配した請求項１記載の手術用吸引具。
【考案の詳細な説明】
【技術分野】
【０００１】
この考案は例えば脳神経外科手術などに使用するための手術用吸引具に関する。
【背景技術】
【０００２】
例えば脳神経外科手術において、患部に溜まった血液、体液やあるいは組織片を吸引するために吸引具が用いられている。この種の吸引具は、術者が摘んで持つ持ち手の前後に患部に接して吸引するための吸引管と吸引ホースとの接続口金をそれぞれ突設した構成からなる。そして、吸引管と接続口金とは持ち手内の吸引通路を介して連通され、持ち手には吸引通路に連通して開口する吸引調節孔が設けられ、上記の吸引調節孔の開閉具合の調節により吸引力を調節していた。
【０００３】
前記の従来技術の吸引具においては、吸引調節孔は特許文献１に記載のもののように、それを覆うスライド式の蓋体のスライドにより開閉具合を調整するものの他に、特許文献２、３に記載のもののように、露出した吸引調節孔を持ち手を摘む術者の指腹で覆って開閉具合を調整するものがあった。
【０００４】
【特許文献１】実公平３−１７８８０号公報
【特許文献２】特開２０００−３００５７３号公報
【特許文献３】特開平５−１６８６９７号公報
【考案の概要】
【考案が解決しようとする課題】
【０００５】
ところで、この種の吸引具においては術者において予め吸引管部分を作業に応じた湾曲度合いに折り曲げて使用することが通例であり、吸引具は軸方向に対する方向性を有することとなる。その結果、軸方向にみだりに回転しないように持ち手を摘むことが要請された。
【０００６】
この場合、特許文献３に記載の吸引具のように持ち手の断面を角形とすれば、持ち手が軸方向にみだりに回転することは防止できる。しかしながら、この場合は同時に持ち手自体に軸方向に対する方向性が生じることになり、手術の過程において被吸引箇所との兼ね合いで持ち手に対しそれを摘んでいる指腹を軸方向に回転して摘む位置をずらしたい場合に動きがぎこちなくなり、ミクロン単位での挙動が問題となるマイクロサージェリーの現場においては好ましくなかった。
【０００７】
また、断面が角形の場合は持ち手は２本の指腹のみで挟むように摘むしかないので、摘んでいる指腹を中心として吸引具が軸線と直交する方向に振れるおそれがあった。
【０００８】
また、露出した吸引調節孔を指腹で覆って開閉具合を調整するタイプの場合は、持ち手を支持する２本の指のうちの１本を調整のために動かすので、それにより吸引具全体が不用意に動いてしまわないように細心の注意を払わなければならなかった。
【課題を解決するための手段】
【０００９】
この考案は以上の従来技術の吸引具の欠点を解消することを目的として創作されたものであり、吸引管と吸引ホースとの接続口金を持ち手内の吸引通路を介して持ち手の前後に連通して配すると共に、持ち手に吸引通路に連通して開口する吸引調節孔を設けた吸引管において、持ち手を幅方向に弧状に窪ませた上面と同じく幅方向に弧状に窪ませた左右の側面からなる三面形状とすると共に、各面がなす稜線を切り落としたことを特徴とする。
【００１０】
また、ここでは第２考案として前記の吸引具において、吸引調節孔を菱形状とし、その対角線が持ち手の前後方向および左右方向に揃うように持ち手の上面に配した考案も開示する。
【考案の効果】
【００１１】
この考案の吸引具によれば、第一に持ち手が三面からなる逆三角形になっているので、それを３本の指腹を使用して持つことができ、持ち手が軸方向にみだりに回転することを防止できる。また、２本の指腹で挟んで持つ場合と異なり吸引具が軸線と直交する方向に振れるおそれも防止できる。
【００１２】
一方、持ち手の各面がなす稜線を切り落としてなだらかにしているので、持ち手に対しそれを摘んでいる指腹を軸方向に移動して摘む位置をずらしたい場合でもスムーズに指腹を隣接する面に移動させることが可能となる。一方、各面は幅方向に弧状に窪ませてあるので、前記のように稜線を切り落としても窪みに落ち込んでいる指腹は摘む力を弱めない限りみだりに隣接面に移動することはない。
【００１３】
また、持ち手を３本の指腹を使用して持つので吸引調節孔を親指でも人指し指でも操作することができ、術者の好みにあったよりきめ細かい調節操作が可能となる。そして、この場合１本の指を吸引調節孔の調節操作のために動かしても、残る２本の指でしっかりと持ち手を保持しているので吸引具全体が不用意に動いてしまうことがない。
【００１４】
さらに、第２考案の場合は吸引調節孔を菱形状とし、その対角線が持ち手の前後方向および左右方向に揃うように持ち手の上面に配しているので、指腹を前方、後方どちらにずらしても調節操作が可能となり、使い勝手がよりよくなる。
【図面の簡単な説明】
【００１５】
【図１】この考案の手術用吸引具の平面図。
【図２】同上、持ち手部分の斜視図。
【図３】同上、持ち手部分の断面図。
【図４】同上、使用方法を示す斜視図。
【図５】同上、使用方法を示す斜視図。
【考案を実施するための形態】
【００１６】
以下、この考案の手術用吸引具の具体的実施例を添付図面に基づいて説明する。図１はこの考案の吸引具の全体を示す図である。図中符号１は術者が吸引具を持つための持ち手であり、患部に接して血液、体液やあるいは組織片を吸引するための吸引管４が前方に突設されると共に、後方には吸引ホースとの接続口金６が突設される。上記持ち手１内には前後に貫通する吸引通路２が穿設され、上記の吸引管４および接続口金６はこの吸引通路を介して連通される。また、持ち手１の上面には上記の吸引通路２に連通して開口する吸引調節孔３が設けられ、露出した吸引調節孔を持ち手を摘む術者の指腹で覆って開閉具合を調整する構造となっている。なお、この実施例では吸引具は金属で構成されることを想定している。
【００１７】
図２および図３は持ち手１の詳細を示す図である。この持ち手１は幅方向に弧状に窪ませた上面Ｐ１と同じく幅方向に弧状に窪ませた左右の側面Ｐ２、Ｐ３からなる三面形状からなり、各面がなす稜線を切り落とすことによりなだらかな切り落とし部Ｒ１、Ｒ２、Ｒ３が構成される。また、吸引調節孔３を菱形状とされ、その対角線が持ち手１の前後方向および左右方向に揃うように持ち手の上面Ｐ１に配される。
【００１８】
また、術者において予め吸引管部分を作業に応じた湾曲度合いに折り曲げて使用することを想定して、吸引管４は先端を徐々に細くすることにより折り曲げやすくしている。
【００１９】
一方、接続口金６は連結管５を介して持ち手１から距離を置いて配すると共に、緩やかに湾曲させることにより、作業にあたって接続される吸引ホースが邪魔にならないように配慮されている。
【００２０】
図４および図５はこの考案の吸引具の持ち方の例を示す図である。図４においては親指の指腹Ｆ１で持ち手１の上面Ｐ１を、人指し指の指腹Ｆ２、中指の指腹Ｆ３で持ち手１の側面Ｐ２、Ｐ３を摘む持ち方を図示している。また、図５においては人指し指の指腹Ｆ２で持ち手１の上面Ｐ１を、中指の指腹Ｆ３、親指の指腹Ｆ１で持ち手１の側面Ｐ２、Ｐ３を摘む持ち方を図示している。この考案においては上記の２様の持ち方を選択できるので、術者の利き指を吸引調節孔３に臨ませることが可能となる。
【符号の説明】
【００２１】
１            持ち手
２            吸引通路
３            吸引調節孔
４            吸引管
６            接続口金
【図１】
0003168467.tif 000003
【図２】
0003168467.tif 000004
【図３】
0003168467.tif 000005
【図４】
0003168467.tif 000006
【図５】
0003168467.tif 000007